(57)【要約】【課題】回転体を備えた気水分離器を有する湿式電気掃除機において、気水分離能力が向上した湿式電気掃除機を提供すること。【解決手段】汚れと水分を空気と共に吸引する吸引ノズルと、該吸引ノズルから吸引される汚れ、水分及び空気の混合流を導通する吸引ホースと、該混合流から汚れ及び水分を空気と分離する気水分離器と、気水分離器により分離された空気を吸引して排気する電動ファンと、該混合流から分離される汚れと水分を貯溜する汚水タンクとを備えており、気水分離器は、その吸引部側に、有底筒状の回転体13Bを備えており、回転体13Bは、その中心軸を中心に回転可能になっており、回転体13Bの周側部は、所定幅の多数の羽根32が回転体13Bの周方向R3にそれぞれ間隔をあけて、且つ羽根32の幅方向の基部32Aと中心軸とを結ぶ基準線R1に対し、羽根32の幅方向R2をセパレータ13の回転方向R3に所定角度θ1傾けて立設されて形成されている。【選択図】図７
2006288717.tif 000002
【特許請求の範囲】
【請求項１】
被洗浄物に噴射ノズルから洗浄液を噴射し該被洗浄物の汚れを水分と空気と共に吸引する湿式電気掃除機であって、
汚れと水分を空気と共に吸引する吸引ノズルと、該吸引ノズルから吸引される汚れ、水分及び空気の混合流を導通する吸引ホースと、該混合流から汚れ及び水分を空気と分離する気水分離器と、該気水分離器により分離された空気を吸引して排気する出力１．５ｋＷ以下の電動ファンと、該混合流から分離される汚れと水分を貯溜する汚水タンクとを備えており、
前記気水分離器は、その吸引部側に、有底筒状の回転体を備えており、
前記回転体は、その中心軸を中心に回転し、該回転体の周側部は、所定幅の多数の羽根が該回転体の周方向にそれぞれ間隔をあけて、且つ該羽根の幅方向の基部と前記中心軸とを結ぶ基準線に対し、該羽根の幅方向を該回転体の回転方向に所定角度傾けて立設されて形成されている湿式電気掃除機。
【請求項２】
前記羽根の幅方向の先端部には、前記回転体の回転方向に向けて突出する先端部突起が形成されている請求項１記載の湿式電気掃除機。
【請求項３】
前記羽根の前記所定角度は、１度〜４５度である請求項１又は２に記載の湿式電気掃除機。
【請求項４】
被洗浄物に噴射ノズルから洗浄液を噴射し該被洗浄物の汚れを水分と空気と共に吸引する湿式電気掃除機であって、
汚れと水分を空気と共に吸引する吸引ノズルと、該吸引ノズルから吸引される汚れ、水分及び空気の混合流を導通する吸引ホースと、該混合流から汚れ及び水分を空気と分離する気水分離器と、該気水分離器により分離された空気を吸引して排気する出力１．５ｋＷ以下の電動ファンと、該混合流から分離される汚れと水分を貯溜する汚水タンクとを備えており、
前記気水分離器は、その吸引部側に、有底筒状の回転体を備えており、
前記回転体は、その中心軸を中心に回転可能になっており、該回転体の周側部は、所定幅の多数の羽根が該回転体の周方向にそれぞれ間隔をあけて立設されて形成されており、
前記羽根の幅方向の先端部には、前記回転体の回転方向に向けて突出する先端部突起が形成されている湿式電気掃除機。
【請求項５】
前記羽根の幅は、前記回転体の半径の５％〜２５％である請求項１〜４の何れかに記載の湿式電気掃除機。
【請求項６】
前記先端部突起の突出高さは、前記羽根の厚みの２５％〜１００％である請求項２〜５の何れかに記載の湿式電気掃除機。
【発明の詳細な説明】
【技術分野】
【０００１】
本発明は、被洗浄物に噴射ノズルから洗浄液を噴射し該被洗浄物の汚れを水分と空気と共に吸引する湿式電気掃除機に関する。
【背景技術】
【０００２】
下記特許文献１には、被洗浄物に噴射ノズルから洗浄液を噴射し該被洗浄物の汚れを水分と空気と共に吸引する湿式電気掃除機で、吸引ノズルから吸引される汚れ、水分及び空気の混合流から汚れ及び水分を空気と分離する気水分離器を備えたものが記載されている。
特許文献１記載の湿式電気掃除機においては、気水分離器は回転可能な有底筒状のセパレータ（回転体）を備えており、該セパレータの周側部は間隔をあけて立設する多数の羽根から形成されており、該羽根はその幅方向をセパレータの回転中心軸に向けて立設している。そして、吸引状態下にセパレータを高速回転させることにより、羽根間を通過する水分を羽根で叩き落として気水分離を行っている。
【０００３】
【特許文献１】特開２００４−１８０９４１号公報
【発明の開示】
【発明が解決しようとする課題】
【０００４】
しかし、特許文献１記載の湿式電気掃除機においては、気水分離器におけるセパレータの羽根の配置形態に特段の工夫がなされておらず、十分な気水分離能力が得られない。そのため、モータをセパレータの回転軸に直結させて設け、該モータの回転によりセパレータを高速回転させて、気水分離能力の不足を補っている。
【０００５】
従って、本発明の目的は、回転可能な有底筒状の回転体を備えた気水分離器を有する湿式電気掃除機において、該回転体の回転速度が速くなくても、気水分離能力が向上した湿式電気掃除機を提供することにある。
【課題を解決するための手段】
【０００６】
本発明は、被洗浄物に噴射ノズルから洗浄液を噴射し該被洗浄物の汚れを水分と空気と共に吸引する湿式電気掃除機であって、汚れと水分を空気と共に吸引する吸引ノズルと、該吸引ノズルから吸引される汚れ、水分及び空気の混合流を導通する吸引ホースと、該混合流から汚れ及び水分を空気と分離する気水分離器と、該気水分離器により分離された空気を吸引して排気する出力１．５ｋＷ以下の電動ファンと、該混合流から分離される汚れと水分を貯溜する汚水タンクとを備えており、前記気水分離器は、その吸引部側に、有底筒状の回転体を備えており、前記回転体は、その中心軸を中心に回転し、該回転体の周側部は、所定幅の多数の羽根が該回転体の周方向にそれぞれ間隔をあけて、且つ該羽根の幅方向の基部と前記中心軸とを結ぶ基準線に対し、該羽根の幅方向を該回転体の回転方向に所定角度傾けて立設されて形成されている湿式電気掃除機を提供することにより、上記目的を達成したものである。
【０００７】
また、本発明は、被洗浄物に噴射ノズルから洗浄液を噴射し該被洗浄物の汚れを水分と空気と共に吸引する湿式電気掃除機であって、汚れと水分を空気と共に吸引する吸引ノズルと、該吸引ノズルから吸引される汚れ、水分及び空気の混合流を導通する吸引ホースと、該混合流から汚れ及び水分を空気と分離する気水分離器と、該気水分離器により分離された空気を吸引して排気する出力１．５ｋＷ以下の電動ファンと、該混合流から分離される汚れと水分を貯溜する汚水タンクとを備えており、前記気水分離器は、その吸引部側に、有底筒状の回転体を備えており、前記回転体は、その中心軸を中心に回転可能になっており、該回転体の周側部は、所定幅の多数の羽根が該回転体の周方向にそれぞれ間隔をあけて立設されて形成されており、前記羽根の幅方向の先端部には、前記回転体の回転方向に向けて突出する先端部突起が形成されている湿式電気掃除機を提供することにより、上記目的を達成したものである。
【発明の効果】
【０００８】
本発明の湿式電気掃除機によれば、回転可能な有底筒状の回転体を備えた気水分離器を有する湿式電気掃除機において、該回転体の回転速度が速くなくても、気水分離能力の向上が達成できる。
【発明を実施するための最良の形態】
【０００９】
以下、本発明の湿式電気掃除機を、その好ましい一実施形態について、図面を参照しながら説明する。
本実施形態の湿式電気掃除機１は、図１及び図２に示すように、被洗浄物に噴射ノズル５１から洗浄液Ｗを噴射し該被洗浄物の汚れを水分と空気と共に吸引する湿式電気掃除機１である。
【００１０】
また、本実施形態の湿式電気掃除機１は、汚れと水分を空気と共に吸引する吸引ノズル１１と、該吸引ノズル１１から吸引される汚れ、水分及び空気の混合流Ａを導通する吸引ホース１２と、該混合流Ａから汚れ及び水分を空気と分離する気水分離器１３と、該気水分離器１３により汚れと水分からほぼ分離された空気Ｃ’を吸引して排気する出力１．５ｋＷ以下の電動ファン１５と、該混合流Ａから分離される汚れと水分（汚水Ｂ）を貯溜する汚水タンク１４とを備えている。
【００１１】
本実施形態の湿式電気掃除機１について更に詳述する。
吸引ノズル１１は、汚水を空気と共に吸引するもので、本実施形態においては、図１に示すように、平面視で末広がり形状を有する中空体であり、その先端部は開口し、被洗浄物との当接面となっている。吸引ノズル１１の内部には、図２に示すように、洗浄液Ｗを噴射する噴射ノズル５１が設けられている。
【００１２】
本実施形態の湿式電気掃除機１には、図１及び図２に示すように、噴射ノズル５１に洗浄液を供給する給液タンク１７（詳細は後述）と、給液タンク１７内の洗浄液Ｗを送出する送液ポンプ５３と、送液ポンプ５３と給液タンク１７とを連通する連結チューブ５４と、送液ポンプ５３の駆動により連結チューブ５４を介して洗浄液Ｗを噴射ノズル５１に送給する送液チューブ５２とが設けられている。
【００１３】
吸引ホース１２及び送液チューブ５２は、図１に示すように、ハウジング２０の前面から露出し、両者が並列して吸引ノズル１１に連結されている。
噴射ノズル５１は、送液チューブ５２に連結されており、送液チューブ５２から送給される洗浄液Ｗが噴射ノズル５１の先端部から被洗浄物に向けて噴射されるようになっている。
噴射ノズル５１としては、洗浄液を霧状に穏かに噴射するタイプや洗浄液を直線状に勢いよく噴射するタイプ等、被洗浄物に応じて選択することができる。本実施形態では、霧状に噴射するものを用いている。
【００１４】
吸引ホース１２は、図１及び図２に示すように、吸引ノズル１１と汚水タンク１４とを連通し、吸引ノズル１１から吸引される汚水と空気の混合流Ａを汚水タンク１４に導入するものである。
吸引ホース１２の一端部１２Ａは、図２に示すように、吸引ノズル１１の内部と連通し、他端部１２Ｂは、汚水タンク１４の汚水導入口１４Ａに嵌合している。
吸引ホース１２としては、従来より湿式電気掃除機用として用いられている吸引ホースを特に制限なく使用することができ、例えば、外内面が蛇腹状のホース、外面が蛇腹状で内面が平滑なホース、外内面が平滑なホース等が挙げられる。本実施形態においては、ホースの曲がり易さを確保しつつ、ホース内面への汚水の滞留や付着を防止する観点から、外側が蛇腹状で内側が平滑なホースを用いている。
【００１５】
汚水タンク１４は、図２に示すように、混合流Ａから分離される汚れ及び水分（汚水Ｂ）を貯溜するタンクである。汚水タンク１４は、図３に示すように、ハウジング２０の前部側の汚水タンク収納部２４Ｂに配設されており、図９に示すように、その底部から上部開口部に向けて断面が拡大する略円筒形状を有している。汚水タンク１４は、その内部に貯溜された汚水Ｂを視認できるように透明の素材から形成されている。
【００１６】
汚水タンク１４の外周面の上方には、図９に示すように、吸引ホース１２の他端部１２Ｂと連結される汚水導入口１４Ａが設けられている。汚水タンク１４の上部開口部の周縁部には、周方向に１８０°あけて２個の位置決め張出し部１４Ｂが設けられている。位置決め張出し部１４Ｂは、図３に示すように、ハウジング２０の汚水タンク収納部２４Ｂに設けられた凹部２４Ｃに嵌合させることにより、汚水タンク１４をハウジング２０の汚水タンク収納部２４Ｂに対して位置決めできるようになっている。
【００１７】
気水分離器１３は、図２に示すように、吸引ホース１２及び汚水タンク１４を介して導入される混合流Ａから汚水Ｂを分離する機能を有するものであり、その詳細については後述する。
【００１８】
電動ファン１５（図２参照。図２以外では図示省略）は、ハウジング２０の中央上部に設けられたハウジング取っ手２５の下方におけるハウジング２０の内部に設けられている。電動ファン１５は、図２に示すように、吸引部１５Ａから吸引し、排気部１５Ｂから外部に排気することにより、吸引ノズル１１から吸引ホース１２及び汚水タンク１４を経て気水分離器１３に向かう経路の吸引力を発生させるものである。吸引部１５Ａから吸引された混合流Ａから汚水Ｂをほぼ分離した空気Ｃ’は、図２に示すように、排気部１５Ｂから外気中に排出される。
電動ファン１５としては、湿式電気掃除機のコンパクト化の面や一般家庭内で使用する面で、出力１．５ｋＷ以下のものが好適であり、被洗浄物等条件に応じて、１．２ｋＷ以下のものや１．０ｋＷ以下のものを用いることができる。
【００１９】
気水分離器１３の排出部１３Ｃと電動ファン１５の吸引部１５Ａとの間には、図２に示すように、汚水がほぼ除去された混合流Ａ中に残存する微量の汚水を分離するフィルタ１６が設けられている。
フィルタ１６としては、混合流Ａから前記微量の汚水を分離できるものであれば制限なく用いることができる。
【００２０】
ハウジング２０の給液タンク収納部２１の底部には、図１１に示すように、給液タンク１７のタンク脚部７７Ａ〜７７Ｃ及び液排出口７８（詳細は後述）にそれぞれ対応して、脚部嵌合部２１Ａ〜２１Ｃ及び排出口受部２２が設けられている。また、給液タンク収納部２１には、給液タンク１７のタンク背面凹欠部７３（詳細は後述）に対応して、ハウジング２０の背面に向けて膨出するハウジング凸出部２３が設けられている。
【００２１】
電動ファン１５、汚水タンク１４、送液ポンプ５３、連結チューブ５４等は、ハウジング２０に収納されている。ハウジング２０の上部には、図１及び図１０に示すように、スイッチ２６が設けられている。ハウジング２０の下部には、湿式電気掃除機１の移動用の前輪及び後輪（図示せず）が設けられている。
【００２２】
送液チューブ５２、連結チューブ５４及び送液ポンプ５３としては、各々に要求される機能を果たすものであれば、それらの材質、形状、大きさ等に特に制限はない。
洗浄液としては、被洗浄物に応じて、洗剤を含む適切なものが用いられる。洗剤を含有しない水を用いてもよい。
【００２３】
次に、気水分離器１３の構成について、図４〜図８を参照しながら詳述する。
気水分離器１３は、図１〜図５に示すように、汚水タンク１４が汚水タンク収納部２４Ｂに収納された状態下に、ハウジング２０の前部側の気水分離器収納部２４Ａに装着され、汚水タンク１４の上方に配置されるようになっている。
【００２４】
気水分離器１３は、図５に示すように、その吸引部側に、有底筒状の回転体１３Ｂを備えている。回転体１３Ｂは、図６に示すように、円形の上方開口部３１及び円形の筒底部３３を有する下向きに窄んだ形状の円筒台形状を有している。従って、筒底部３３の面積は、上方開口部３１の面積よりも小さくなっている。上方開口部３１の周縁部には、上方から視て外方に延出する上縁延出部３６が形成されている。
回転体１３Ｂの中心軸３４に対応する位置には、図６に示すように、回転シャフト１３Ｅ（後述）と連結するためのシャフト連結孔３５が形成されている。
【００２５】
回転体１３Ｂの周側部は、図６及び図７に示すように、所定幅の多数の羽根３２が回転体１３Ｂの周方向Ｒ３にそれぞれ間隔をあけて立設されて形成されている。羽根３２は、羽根２３の幅方向〔図７（ｂ）の左右方向〕の基部３２Ａと中心軸３４とを結ぶ基準線Ｒ１に対し、羽根３２の幅方向Ｒ２を回転体１３Ｂの回転方向Ｒ３に所定角度θ１傾けて立設されている。
羽根３２の前記所定角度θ１は、羽根３２同士の隙間から水分の浸入（通過）を防ぐ点から、好ましくは１度〜４５度であり、更に好ましくは５度〜２０度である。
【００２６】
羽根３２は、図７（ｂ）に示すように、正面視で、上縁延出部３６から筒底部３３に向けて傾斜する平行四辺形状を有している。
羽根３２の幅Ｌ１は、回転体１３Ｂの内部に浸入（通過）してきた水分を、羽根３２により叩き、回転体１３Ｂの外部へ排出する点から、回転体１３Ｂの半径Ｌ３（回転体が円筒台形状の場合はその最大半径）の寸法の１０％〜２５％に設定するのがよく、５％〜２５％に設定するのが更によい。本実施形態では、回転体１３Ｂの半径Ｌ３は４５ｍｍであり、羽根３２の幅Ｌ１は好ましくは５ｍｍ〜１１ｍｍである。筒底部３３に対する羽根３２の正面視での傾斜角度θ２は、回転体１３Ｂが回転することで気水分離を行う点から（傾斜角度θ２が小さい場合は、筒底部３３付近での羽根３２の周速は低く、気水分離性能が低下してしまう）、好ましくは４５度〜９０度であり、更に好ましくは６０度〜９０度である。
【００２７】
羽根３２の幅方向の先端部３２Ｂには、図７（ａ）に示すように、回転体１３Ｂの回転方向Ｒ３に向けて突出する先端部突起３２Ｃが形成されている。先端部突起３２Ｃは、羽根３２の上端縁から下端縁に亘っている。
先端部突起３２Ｃの突出高さＬ２は、羽根３２に叩きつけられた水分が回転体１３Ｂの内部に浸入（通過）するのを防ぐ点から、好ましくは羽根３２の厚みＬ４の２５％〜１００％にするのがよい。本実施形態では、羽根３２の厚みＬ４は２．０ｍｍであり、突出高さＬ２は好ましくは０．５ｍｍ〜２．０ｍｍである。
【００２８】
羽根３２における先端部突起３２Ｃ側の表面には、それに付着した水分の凝集性を向上させるための細かい溝（図示せず）が形成されている。なお、羽根３２の表面には、撥水効果を出すために撥水剤を塗布してもよい。
【００２９】
気水分離器１３には、図４に示すように、回転体１３Ｂを覆うように、保護カバー１３Ｄが取り付けられている。保護カバー１３Ｄは、有底円筒状であり、その周側部には、縦に伸びる多数のスリット孔が形成されている。
保護カバー１３Ｄを設けることで、例えば以下の利点がある。吸引（洗浄）中に高速回転する回転体１３Ｂは、吸引（洗浄）停止後も惰性によって回転を続けている。したがって、保護カバー１３Ｄを取り付けることで、高速回転中に気水分離器１３を湿式電気掃除機１から取り外した時に指などの挟み込みを防止することができる。また、吸引（洗浄）停止直後に気水分離器１３を湿式電気掃除機１から取り外し床面に置いた際、惰性によって回転する回転体１３Ｂが床面を擦り、回転体１３Ｂが破損することもあるが、保護カバー１３Ｄを取り付けることで、回転体１３Ｂの破損を防止することもできる。
なお、気水分離器１３はハウジング２０に対して着脱自在になっている。
【００３０】
図８に示すように、気水分離器１３の上部１３Ａの底面側には、通気窓１３Ｆが設けられており、気水分離器１３の上部１３Ａの背面側には、排出部１３Ｃが設けられている。
気水分離器１３の上部１３Ａの内部には、回転体１３Ｂを回転する回転機構としてプロペラ（図示せず）が設けられている。該プロペラは、電動ファン１５により気水分離器１３に発生する気流により回転するようになっている（つまり風力駆動）。該プロペラの回転軸には、図８に示すように、回転シャフト１３Ｅが連結されている。回転体１３Ｂのシャフト連結孔３５には、回転シャフト１３Ｅが連結される。そのため、気流により該プロペラが回転すると、その回転に従って回転シャフト１３Ｅを介して回転体１３Ｂが回転する。このように、回転体１３Ｂは、回転シャフト１３Ｅを中心軸として回転可能になっている。
【００３１】
従って、気水分離器１３においては、電動ファン１５による吸引力により、回転体１３Ｂから排出部１３Ｃに向かう吸引力が働いている状態下で、前記回転機構により回転体１３Ｂを回転させることにより、回転体１３Ｂにおいて汚水タンク１４内の混合流Ａから汚水Ｂの大部分を分離し、混合流Ａから汚水Ｂがほぼ分離された空気Ｃ’（図２参照）を排出部１３Ｃから排出できるようになっている。
気水分離器１３において混合流Ａから分離された汚水Ｂは、落下し、汚水タンク１４内に貯溜するようになっている。
【００３２】
次に、給液タンク１７について詳述する。
給液タンク１７は、図１０及び図１１に示すように、湿式電気掃除機１のハウジング２０の後部側の給液タンク収納部２１に着脱自在になっている。給液タンク１７は、図１２に示すように、洗浄液Ｗを貯溜するタンク本体７１を有している。タンク本体７１は、その内部の洗浄液Ｗを視認し得るようになっており、平面視で、その左右方向両側部がそれぞれ正面から背面に向けて膨出し、一対のタンク背面膨出部７２とそれらの間のタンク背面凹欠部７３を形成している。
【００３３】
タンク本体７１の上部には、図２に示すように、その内部に洗浄液Ｗを注入する液注入口７４Ａが設けられている。液注入口７４Ａは、タンクキャップ７４により閉蓋されるようになっている。タンク本体７１の正面には、図１２に示すように、タンク取っ手７５が設けられている。
タンク本体７１の下部のタンク底部７６には、その内部から洗浄液Ｗを排出する液排出口７８が設けられている。液排出口７８には、図２に示すように、開閉弁７８Ａが設けられている。
【００３４】
タンク本体７１の下部のタンク底部７６には、図１２に示すように、液排出口７８よりも下方に突出した３個のタンク脚部７７Ａ〜７７Ｃが設けられている。そして、給液タンク１７は、そのタンク底部７６及びタンク脚部７７Ａ〜７７Ｃを給液タンク収納部２１に着脱することで、ハウジング２０に対して着脱自在になっている。
【００３５】
次に、本実施形態の湿式電気掃除機１の一使用方法として、住宅のカーペットを洗浄する場合について以下に説明する。
吸引ノズル１１をカーペット（図示せず）の汚れた部分に当接させて、スイッチ２６を操作し、湿式電気掃除機１の電源を入れ、送液ポンプ５３と電動ファン１５を駆動させる。すると、送液ポンプ５３の駆動により、図２に示すように、給液タンク１７内の洗浄液Ｗが、連結チューブ５４と送液チューブ５２を経て、噴射ノズル５１から霧状に噴射される。その結果、噴射された洗浄液Ｗによりカーペットが洗浄され、その汚れが除去される。
【００３６】
また、電動ファン１５の駆動により、図２に示すように、吸引ノズル１１から吸引ホース１２及び汚水タンク１４を経て、除去された汚れを含む洗浄液Ｗが、カーペットに付着した髪の毛、綿ゴミ、埃等の乾燥ゴミと空気と共に、気水分離器１３に向けて吸引される。以下、これらの汚れ、洗浄液及び乾燥ゴミを合わせて「汚れと水分」又は「汚水Ｂ」といい、汚れと水分と空気とを合わせて「混合流Ａ」という。
【００３７】
混合流Ａは、吸引ノズル１１から吸引ホース１２を経て汚水タンク１４内に導入されると、急激な気圧の低下により混合流Ａ中の水分が凝集し、それが水滴となって汚水タンク１４内に落下する。
また、汚水タンク１４内の混合流Ａは、気水分離器１３における回転体１３Ｂの羽根３２の間を通過しようとするが、前記回転機構により回転している回転体１３Ｂの羽根３２によって、汚れ及び水分（汚水Ｂ）が叩かれて、更に気水分離される（気水分離効果の詳細は後述）。
【００３８】
然る後、図２に示すように、混合流Ａから汚水Ｂがほぼ分離された空気Ｃ’は、気水分離器１３の排出部１３Ｃから排出される。
排出部１３Ｃから排出された前記空気Ｃ’には、汚れと水分はほとんど残存していないが、残存する汚れと水分は、フィルタ１６を通過する際にほぼ完全に除去される。
フィルタ１６を通過した空気流Ｃは、電動ファン１５の吸引部１５Ａから吸引され、排気部１５Ｂから排出される。
【００３９】
本実施形態の湿式電気掃除機１においては、羽根３２が、その幅方向の基部３２Ａと中心軸３４とを結ぶ基準線Ｒ１に対し、羽根３２の幅方向Ｒ２を回転体１３Ｂの回転方向Ｒ３に所定角度θ１傾けて立設されているため、回転体１３Ｂの回転状態下に、羽根３２の間を通過しようとする水分が羽根３２に当たると、羽根３２に当った水分は殆んど弾かれるが、弾かれずに羽根３２の表面に残った水分は、該表面に沿って移動し、羽根３２の間から回転体１３Ｂの外部に排出される。
【００４０】
また、羽根３２の幅方向が前述のように傾いていると、幅方向がセパレータ（回転体）の中心軸を向いた従来のセパレータの羽根に比して、羽根３２の幅方向の基部３２Ａと中心軸３４とを結ぶ基準線Ｒ１に沿った長さが同じでも、水分を叩くのに有効な羽根３２の表面積を大きくすることができ、気水分離性能が高くなる。
【００４１】
更に、羽根３２の幅方向の先端部３２Ｂに先端部突起３２Ｃが形成されているため、羽根３２に当った水分が羽根３２の表面に沿って回転体１３Ｂの内部に向かって（つまり、羽根３２の幅方向の先端部３２Ｂに向かって）移動しても、水分は、先端部突起３２Ｃに堰き止められて、それ以上回転体１３Ｂの内部には移動せず、電動ファン１５に吸引され難い。その後、先端部突起３２Ｃによって堰き止められた水分が溜って大きな水滴になると、その水滴には大きな遠心力が働く。その結果、先端部突起３２Ｃによって堰き止められた水分は最終的に回転体１３Ｂの外部に排出される。
【００４２】
羽根３２の表面に前述の細かい溝（図示せず）が形成されているため、羽根３２の表面に付着した水分は、該細かい溝に沿って凝集して大きな水滴となり、その結果、回転体１３Ｂの外部に排出され易くなる。
【００４３】
以上の説明の通り、本実施形態の湿式電気掃除機１によれば、気水分離能力が高いので、回転体１３Ｂの回転速度が速くなくても、気水分離能力が得られる。そのため、回転体１３Ｂの回転機構の駆動源として、モータ等の電気的な直接駆動源を用いてもよいが、それを用いず、例えば空気流によって回転体を回転させて気水分離を行うこともできる。
【００４４】
本発明の湿式電気掃除機は、前述した実施形態に制限されることなく、本発明の趣旨を逸脱しない限り、以下に示すように適宜変更が可能である。
本発明の湿式電気掃除機においては、羽根３２の幅方向の先端部３２Ｂに回転体１３Ｂの回転方向Ｒ３に向けて突出する先端部突起３２Ｃが形成されていれば、羽根３２は、必ずしも、その幅方向の基部３２Ａと中心軸３４とを結ぶ基準線Ｒ１に対し、羽根３２の幅方向Ｒ２を所定角度傾けて立設されていなくてもよい。
【００４５】
具体的には、例えば、図１３（ａ）、（ｂ）、（ｃ）及び（ｄ）に示すような羽根に変更することが可能である。
図１３（ａ）に示す羽根３２は、回転体１３Ｂの回転方向Ｒ３に向けて凸に湾曲した形状となっている。
図１３（ｂ）に示す羽根３２は、その先端部３２Ｂ側約半分を回転体１３Ｂの回転方向Ｒ３に向けて段違いにしたクランク形状となっている。
図１３（ｃ）に示す羽根３２は、その基部３２Ａ側約半分が回転体１３Ｂの回転方向Ｒ３に向けて凸で且つその先端部３２Ｂ側約半分が回転体１３Ｂの回転方向Ｒ３の反対向きに向けて凸のＳ字形状となっている。
図１３（ｄ）に示す複数の羽根３２は、そのうちの一部（半数以下であることが好ましい）が、その基部３２Ａを上方開口部３１の周縁から離間させて設けられている。
【００４６】
回転体１３Ｂの有底筒状は、上方開口部３１から筒底部３３に向けて拡がる円筒台形状でもよく、円筒形状（窄まっても拡がってもいない形状）でもよい。
羽根３２は、正面視で、筒底部３３から中心軸３４に向けて傾斜させて立設させることができ、また、筒底部３３から垂直に（傾斜させずに）立設させることもできる。羽根３２の幅Ｌ１は、その上端部から下端部に亘って等幅でなくてもよい。隣接する羽根３２の幅方向の基部３２Ａの間隔は、一定でなくてもよい。
【００４７】
本発明の湿式電気掃除機は、カーペットや車のシートのような細かい凹凸のある被洗浄物の洗浄に特に適しているが、畳、フローリング、窓ガラス等の住居の各部分の洗浄にも用いることができる。
【実施例】
【００４８】
本発明の湿式電気掃除機の気水分離性能の評価試験について、具体的な実施例及び比較例を用いて更に詳述する。本発明の実施例及び比較例の評価条件は、以下（１）〜（８）の通りである。なお、本実施例及び比較例では、回転体がそれに直結するモータによる駆動ではなく、吸引に用いたモータによって発生する空気流で駆動される湿式電気掃除機を採用した。そのため、下記（６）のように、羽根の種類によって回転体の回転速度は異なる。
（１）水１５００ｍｌ（ミリリットル）を給液タンクにセットする。
（２）湿式電気掃除機を運転する。
（３）吸引ノズルの先端は開放状態（噴射された洗浄液が、吸引ノズル内部に設けられた遮蔽板に当たり、そのまま吸引されていく）とする。
（４）噴射ノズルから噴射される洗浄液の噴射量は、毎分３０３．７ｍｌ（ミリリットル）とする。
（５）吸引に用いた電動ファンモータの出力は５００Ｗである。
（６）気水分離器の回転体の回転速度は、１分間当り、実施例では２７７０回転、比較例１では３８８０回転、比較例２では３３０８回転、比較例３では４３９０回転であった。
（７）洗浄液がなくなり次第、湿式電気掃除機の運転を停止する。
（８）運転停止直後に気水分離器を分解して、その内部に浸入した水分を拭取り、その重量を測定する。水分を拭取る範囲は、気水分離器の回転体の内側からスポンジフィルタまでの吸引経路とする。
【００４９】
〔実施例〕
実施例においては、回転体１３Ｂの半径Ｌ３は４５ｍｍ、羽根３２の個数は７５個である。
羽根３２の幅Ｌ１は９ｍｍ（基準線Ｒ１への投影幅は５ｍｍ）、羽根３２の高さＬ５は２８．４ｍｍ、羽根３２の正面視での傾斜角度θ２は８０度である。羽根３２の厚みＬ４はｍｍ、羽根３２の先端部突起３２Ｄの突出高さＬ２は０．５ｍｍ、回転体１３Ｂの回転方向Ｒ３に対する羽根３２の幅方向Ｒ２の所定角度θ１は１０度である。
【００５０】
〔比較例１〕
羽根３２の所定角度θ１が０度、羽根３２の幅Ｌ１が１０ｍｍである。それ以外は実施例と同じである。
〔比較例２〕
羽根３２の幅Ｌ１が２．５ｍｍである。それ以外は比較例１と同じである。
〔比較例３〕
羽根３２の幅方向Ｒ２の所定角度θ１が−１０度、即ち実施例に比して該所定角度θ１が回転体１３Ｂの回転方向Ｒ３に対して反対側に傾いている。それ以外は実施例と同じである。
【００５１】
前記実施例及び前記比較例１〜３について、前記評価条件で行った試験結果を下記〔表１〕に示す。水分量が少ない程、気水分離性能が優れていることを示している。
【００５２】
【表１】
2006288717.tif 000003
【００５３】
〔表１〕に示す試験結果から、例えば以下のことがわかる。
実施例によれば、羽根３２の基準線Ｒ１への投影幅（５ｍｍ）が、比較例１の羽根３２の基準線Ｒ１への投影幅（１０ｍｍ、幅Ｌ１と同じ）の半分であるにも拘わらず、気水分離器内に浸入した水分量が約１／３（気水分離性能が約３倍）になっている。
また、回転体１３Ｂの回転方向Ｒ３に対する羽根３２の幅方向Ｒ２の所定角度θ１が実施例とは反対向きの比較例３（羽根３２の基準線Ｒ１への投影幅が５ｍｍ）では、気水分離器内に浸入した水分量が大幅に多くなっており、羽根３２の基準線Ｒ１への投影幅（幅Ｌ１と同じ）が半分（２．５ｍｍ）の比較例２よりも更に水分量が多くなっている。
これらの結果から、回転体１３Ｂの回転方向Ｒ３に対する羽根３２の幅方向Ｒ２の所定角度θ１の規定が気水分離性能の向上に大きく起因していることが理解できる。
【図面の簡単な説明】
【００５４】
【図１】図１は、本発明の湿式電気掃除機の一実施形態を正面上方から視た斜視図である。
【図２】図２は、図１に示す湿式電気掃除機の全容を、汚れ、水分等の流通経路と共に示す模式図である。
【図３】図３は、図１に示す湿式電気掃除機から気水分離器及び給液タンクを取り外した状態を斜め上方から視た斜視図である。
【図４】図４は、図１に示す湿式電気掃除機における気水分離器を示す斜視図である。
【図５】図５は、図４に示す気水分離器から保護カバーを外した状態を示す図で、（ａ）は斜視図、（ｂ）は背面図である。
【図６】図６は、回転体を示す図で、（ａ）は羽根を簡略化して示す斜視図、（ｂ）は平面図である。
【図７】図７は、１個の羽根を示す模式的拡大図で、（ａ）は羽根の上端部を示す平面図、（ｂ）は羽根の正面図である。
【図８】図８は、図５に示す気水分離器から回転体を外した状態を示す図で、（ａ）は斜視図、（ｂ）は底面図である。
【図９】図９は、図１に示す湿式電気掃除機における汚水タンクを示す斜視図である。
【図１０】図１０は、図１に示す湿式電気掃除機を背面上方から視た斜視図である。
【図１１】図１１は、図１に示す湿式電気掃除機から給液タンクを取り外した状態を示す図で、（ａ）は正面上方から見た斜視図（図１０対応図）、（ｂ）は部分平面図である。
【図１２】図１２は、図１に示す湿式電気掃除機における給液タンクを示す図で、（ａ）は斜視図、（ｂ）は背面図である。
【図１３】図１３（ａ）〜（ｄ）は、羽根の幅方向の形状の変更例を種々示す模式的平面図である。
【符号の説明】
【００５５】
１  湿式電気掃除機
１１  吸引ノズル
１２  吸引ホース
１２Ａ  吸引ホースの一端部
１２Ｂ  吸引ホースの他端部
１３  気水分離器
１３Ａ  上部
１３Ｂ  回転体
１３Ｃ  排出部
１３Ｄ  保護カバー
１３Ｅ  回転シャフト
１３Ｆ  通気窓
１４  汚水タンク
１４Ａ  汚水導入口
１４Ｂ  位置決め張出し部
１５  電動ファン
１５Ａ  吸引部
１５Ｂ  排気部
１６  フィルタ
１７  給液タンク
２０  ハウジング
２１  給液タンク収納部
２１Ａ、２１Ｂ、２１Ｃ  脚部嵌合部
２２  排出口受部
２３  ハウジング凸出部
２４Ａ  気水分離器収納部
２４Ｂ  汚水タンク収納部
２４Ｃ  凹部
２５  ハウジング取っ手
２６  スイッチ
３１  上方開口部
３２  羽根
３２Ａ  基部
３２Ｂ  先端部
３２Ｃ  先端部突起
３３  筒底部
３４  中心軸
３５  シャフト連結孔
３６  上縁延出部
５１  噴射ノズル
５２  送液チューブ
５３  送液ポンプ
５４  連結チューブ
７１  タンク本体
７２  タンク背面膨出部
７３  タンク背面凹欠部
７４  タンクキャップ
７４Ａ  液注入口
７５  タンク取っ手
７６  タンク底部
７７Ａ、７７Ｂ、７７Ｃ  タンク脚部
７８  液排出口
７８Ａ  開閉弁
Ａ  混合流
Ｂ  汚水
Ｃ  空気
Ｃ’  混合流Ａから汚水Ｂをほぼ分離した空気
Ｗ  洗浄液
【図１】
2006288717.tif 000004
【図２】
2006288717.tif 000005
【図３】
2006288717.tif 000006
【図４】
2006288717.tif 000007
【図５】
2006288717.tif 000008
【図６】
2006288717.tif 000009
【図７】
2006288717.tif 000010
【図８】
2006288717.tif 000011
【図９】
2006288717.tif 000012
【図１０】
2006288717.tif 000013
【図１１】
2006288717.tif 000014
【図１２】
2006288717.tif 000015
【図１３】
2006288717.tif 000016